(57)【要約】【課題】着脱が容易で使い勝手が良く、かつ、安定して装着することができる使い捨てのエプロンを提供する。【解決手段】、装着者の首回りを露出させるしずく型形状の開口部４０を備えるエプロン本体２０には、エプロン本体２０の上辺２１に沿って形成される帯状片３１と、帯状片３１が挿通されて係止される挿通スリット３２とが設けられ、帯状片３１をエプロン本体２０から切り取って挿通スリット３２へと挿通させることにより、開口部４０の形状をしずく型形状から装着者の首回りに係止可能な円形状へと変化させる。【選択図】図５
2020041238.tif 000002
【特許請求の範囲】
【請求項１】
装着者の首回りを露出させる開口部が形成されたシート状のエプロン本体と、上記エプロン本体を上記装着者の首回りへと係止するための止着手段とを備える使い捨てエプロンにおいて、
上記止着手段は、上記エプロンの上辺に沿って所定長さに形成される切断線を介して、上記エプロンの一側側辺を自由端部として上記切断線の終点位置まで切り取られる１本の帯状片と、上記帯状片が挿通されて係止される挿通スリットとからなり、
上記開口部は、上記エプロン本体の幅方向略中央の所定位置に切り欠かれ、上記装着者の首回りに係止される円形状の係止開口と、
上記切断線の終点位置から上記係止開口に向かって略垂直に垂下された垂下辺と、上記切断線の終点位置から上記係止開口に向かって所定角度で傾斜された傾斜辺との２辺により、上記切断線の終点位置を頂点として三角形状に切り欠かれる位置決め開口とから、
その全体がしずく型形状を呈して一体的に形成されており、
上記帯状片をその自由端部から上記挿通スリット内へと挿通させることにより、上記位置決め開口が上記位置決め開口の上記傾斜辺が上記垂下辺に沿って移動し、上記開口部がしずく型形状から上記装着者の首回りへと係止可能な円形状に変化することを特徴とする使い捨てエプロン。
【請求項２】
上記挿通スリットは上記位置決め開口の垂直辺に隣接して設けられていることを特徴とする請求項１に記載の使い捨てエプロン。
【請求項３】
上記切断線には、上記帯状片を切り取ったときに上記帯状片の切断辺に連続した切り込みが形成されるミシン目からなることを特徴とする請求項１または２に記載の使い捨てエプロン。
【請求項４】
上記挿通スリットは、少なくとも２本以上の線状スリットからなることを特徴とする請求項１ないし３に記載の使い捨てエプロン。
【請求項５】
上記エプロン本体と上記止着手段とを長尺シート体内に連続して設け、上記エプロン本体の上辺に切り離し用の切断線を形成したことを特徴とする請求項１ないし４のいずれか１項に記載の使い捨てエプロン。
【発明の詳細な説明】
【技術分野】
【０００１】
本発明は、例えば、歯科医院における患者の衣服の汚れや、医療機関における内視鏡検査時の体液ケア、病気や介護時における食事の際の食べこぼし、飲食店における客の衣服の汚れを防止するためのエプロンに関し、さらに詳しく言えば、着脱が容易で使い勝手が良く、かつ、安定して装着することができる使い捨てのエプロンに関する。
【背景技術】
【０００２】
医療機関や歯科医院、福祉施設、飲食店等において、患者や客等の衣服の汚れを防止するために用いられる使い捨てのエプロンは、例えば、防水処理を施した薄紙等で作られたものが一般的である。
【０００３】
図７には、このような従来のエプロンの一般的な使い捨てのエプロン１が示されている。図７に示すように、エプロン１は、患者や客の首下部分に当てがわれるエプロン本体２と、エプロン本体２を首回りに固定するための一対の帯片３，４とから形成されている。
【０００４】
帯片３，４は、エプロン本体２の端部に一体的に設けられており、例えば、多数枚の素材を一度に打ち抜き加工することにより、エプロン本体２と帯片３，４とを一体的に製作している。
【０００５】
しかしながら、打ち抜き加工によるエプロン１の製作は、多数枚の素材を一度に打ち抜き加工するため製作的には容易であるが、歩留まり率が悪く、素材の無駄が生じるため、コストを抑えることができないという問題があった。
【０００６】
一方、素材の無駄を回避するため、エプロン本体２と帯片３，４とをそれぞれ作成し、帯片３，４をエプロン本体２の所定位置に接着加工する方法も考えられるが、帯片３，４の接着加工は、製造効率を著しく下げる要因となり好ましくない。
【０００７】
また、エプロン１を首回りへ固定するのに帯片３，４を結ぶ手間が煩わしい。加えて、単に帯片３，４を結ぶだけで装着者の首回へと固定しているため、少しの動作で帯片３，４が緩んでしまい、エプロン本体２が適正位置からずれて衣服が汚れてしまうという問題があった。
【０００８】
そこで、下記特許文献１に示すように、エプロン本体と帯片（紐）とをまとまりよく１枚のシート内で一体的に構成し、素材の無駄を回避するようにした医療用のエプロンが提供されている。
【０００９】
また、下記特許文献２に示すように、エプロン本体と帯片（帯部）とをまとまりよく１枚のシート内で一体的に構成して素材の無駄を回避するとともに、帯片の止着位置を調整して安定的に装着できるようにした使い捨てのエプロンが提供されている。
【００１０】
しかしながら、下記特許文献１による医療用エプロンでは、エプロンの装着は、従来と同様、２本の帯片を首回りに結ぶ構成としているため、依然として少しの動作で帯片が緩むという問題があった。
【００１１】
一方、下記特許文献２による使い捨てのエプロンでは、帯部の係合凸部を開口部に挿通させるにあたって、係合凸部を誤った位置の開口部へと挿通してしまった場合に適正位置の開口部へと挿通をやり直さなければならないが、係合凸部と開口部とがしっかりと係合しているため取り外しが容易でなく、無理に外そうとして係合凸部が破損してしまう等の問題があった。
【先行技術文献】
【特許文献】
【００１２】
【特許文献１】特開平２−１１９８５７号公報
【特許文献２】特開２０１６−１９９８１９号公報
【発明の概要】
【発明が解決しようとする課題】
【００１３】
そこで、本発明は、エプロン本体と帯片とを１枚のシート内で一体的に成形して素材の無駄を省くとともに、エプロンを装着者の首回りに容易に着脱させ、かつ、安定的に装着させることができる使い捨てのエプロンを提供することにある。
【課題を解決するための手段】
【００１４】
上記課題を解決するため、装着者の首回りを露出させる開口部が形成されたシート状のエプロン本体と、上記エプロン本体を上記装着者の首回りへと係止するための止着手段とを備える使い捨てエプロンにおいて、
上記止着手段は、上記エプロンの上辺に沿って所定長さに形成される切断線を介して、上記エプロンの一側側辺を自由端部として上記切断線の終点位置まで切り取られる１本の帯状片と、上記帯状片が挿通されて係止される挿通スリットとからなり、
上記開口部は、上記エプロン本体の幅方向略中央の所定位置に切り欠かれ、上記装着者の首回りに係止される円形状の係止開口と、
上記切断線の終点位置から上記係止開口に向かって略垂直に垂下された垂下辺と、上記切断線の終点位置から上記係止開口に向かって所定角度で傾斜された傾斜辺との２辺により、上記切断線の終点位置を頂点として三角形状に切り欠かれる位置決め開口とから、
その全体がしずく型形状を呈して一体的に形成されており、
上記帯状片をその自由端部から上記挿通スリット内へと挿通させることにより、上記位置決め開口が上記位置決め開口の上記傾斜辺が上記垂下辺に沿って移動し、上記開口部がしずく型形状から上記装着者の首回りへと係止可能な円形状に変化することを特徴とする使い捨てエプロン。
【００１５】
本発明において、上記挿通スリットは上記位置決め開口の垂直辺に隣接して設けられていることが好ましく、上記切断線は上記帯状片を切り取ったときに上記帯状片の切断辺が連続的な切り込みが形成されるミシン目とするとよい。
【００１６】
また、上記挿通スリットは、少なくとも２本以上の線状スリットからなることが好ましく、さらに、上記エプロン本体と上記止着手段とを長尺シート体内に連続して設け、上記エプロン本体の上辺に切り離し用の切断線を形成したことを特徴としてる。
【発明の効果】
【００１７】
本発明によれば、エプロン本体の上縁部に設けられた１本の帯状片を挿通スリットに挿通するという簡単な動作でエプロン本体を装着者に装着できる。
【００１８】
この場合、帯状片を挿通スリットに挿通していくことにより、位置決め開口の三角形状が徐々に消滅して円形状の開口部に変化することから、エプロン本体を装着者の首回りに安定的に係止させることができる。
【００１９】
また、帯状片の切断辺には連続的な切り込みが形成されるようになっているので、この切り込みが挿通スリットに係着されることにより、帯状片が挿通スリットから簡単に脱落することがない。
【００２０】
さらに、エプロン本体と止着手段とを１枚のシート内で形成されているため素材の無駄を省くことができるほか、エプロン本体と止着手段とをからなる使い捨てエプロンを長尺シートに連続して設け、例えば、それをロール状とすれば、収納面積を小さくすることができ、使い勝手を向上させることができる。
【図面の簡単な説明】
【００２１】
【図１】本実施形態の使い捨てエプロンの一例を模式的に示す平面図。
【図２】本実施形態の使い捨てエプロンの側面図。
【図３】本実施形態の帯状片を挿通スリットに挿通した例を模式的に示す説明図。
【図４】本実施形態の使い捨てエプロンの装着例を模式的に示す平面図。
【図５】本実施形態の使い捨てエプロンの一例を模式的に示す平面図。
【図６】本実施形態の挿通スリットの他の例を模式的に示す説明図。
【図７】従来の使い捨てエプロンを模式的に示す平面図。
【発明を実施するための形態】
【００２２】
以下、図１ないし図６を参照して、本発明の実施形態を説明するが、本発明は以下の実施形態に限定されることはない。
【００２３】
図１を参照して、本発明の使い捨てエプロン１０（なお、以下の説明において、単に「エプロン」ということがある。）は、一方の面（裏面）１０ａに防水加工が施されたプラスチックや紙、不織布等の可撓性を有する薄片素材からなり、装着者の胸部前面を覆うエプロン本体２０と、エプロン本体２０を装着者に装着させるための止着手段３０とを備えている。
【００２４】
この例において、エプロン１０の防水加工が施された面（裏面）１０ａは装着者に接触する防水面とされ、防水加工の施されていない他方の面（表面）１０ｂは、エプロン本体２０例えば親水性を有する薄型素材とすることで、吸水性を有する吸水面とされている。
【００２５】
なお、エプロン１０の裏面１０ａは、例えば、水や飲料等が染み込むのを防ぐ防水性を有していれば良く、例えば、フィルムやラミネートによる防水加工のほか、水を弾く疎水性加工により適宜の防水性を備えていればよい。
【００２６】
本実施形態では、図１に示すように、エプロン本体２０と止着手段３０とは１枚のシート内で形成されており、エプロン本体２０には、その幅方向の略中央に、装着者の首回りへと位置決めして装着者の首回りに係止される開口部４０が形成されている。
【００２７】
開口部４０は、図１に示すように、装着者の首回りに係止される円形状の係止開口４１と、装着者の首回りへと係止開口４１へと位置合わせして係止させる三角形状の位置決め開口４２とにより、その全体がしずく型形状を呈して一体的に形成されている。
【００２８】
この例において、位置決め開口４２は、後述する切断線Ｌ１の終点Ｌ１ｂを頂点とし、切断線Ｌ１の終点Ｌ１ｂから係止開口４１へと略垂直に垂下した垂下線４２ａと、切断線Ｌ１の終点Ｌ１ｂから係止開口４１へと所定角度に傾斜した傾斜辺４２ｂとから構成されている。
【００２９】
なお、この例において、係止開口４１と位置決め開口４２とは、垂下辺４２ａおよび傾斜辺４２ｂと係止開口４１との接合点が、エプロン本体２０を装着者に装着した際に、装着者の肩ラインＡ（図１参照）上になるように形成されている。
【００３０】
止着手段３０は、エプロン本体２０の上辺２１に沿って形成される１本の帯状片３１と、この１本の帯状片３１が挿通されて係止される挿通スリット３２とから構成されている。
【００３１】
帯状片３１は、エプロン本体２０の上辺２１に沿って設けられる切断線Ｌ１を介して切り取られるようになっており、切断線Ｌ１は、エプロン本体２０の一側側辺（図１において左辺）２２を始点Ｌ１ａとし、エプロン本体２０の幅方向中央よりやや左側を終点Ｌ１ｂとした、例えば、ミシン目等の破断線により形成されている。
【００３２】
そのため、図３に示すように、帯状片３１は、エプロン本体２０の一側側辺２２側を自由端部３１ａとし、切断線Ｌ１の終点Ｌ１ｂ側において、エプロン本体２０と接続した状態で切り取られる。
【００３３】
また、この場合、切断線Ｌ１は、帯状片３１が切り取られた際に、その切断辺が連続的な切り込みを形成するミシン目として形成されており、この例では、包装箱の開け口として利用されている、例えば、麦の穂形状等のジッパー加工によるミシン目と同様のミシン目形状とされている。
【００３４】
このように、帯状片３には連続的な切り込みが形成されているため、後述する挿通スリット３２へと挿通した際に挿通抵抗を持たせることができ、帯状片３１を挿通スリット３２へと確実に止着することができる。
【００３５】
また、連続的な切り込みを設けたことにより、挿通スリット３２への切り込みの止着位置により多段階の調整が可能となるとともに、切り込みを接着剤等の固定手段を用いずに挿通スリット３１へと単に止着しているため、繰り返しの着脱が可能となっている。
【００３６】
本実施形態において、挿通スリット３２は位置決め開口４２の垂下線４２ａに隣接して設けられる線状のスリット（切り込み）からなり、この例では、８本の線状スリットをそれらの中心で交差させた放射状のスリットから形成されている。
【００３７】
次に、本発明の使い捨てエプロン１０の使用例を説明する。まず、切断線Ｌ１を介して帯状片３１をエプロン本体２０から切り離す。この場合、図３に示すように、位置決め開口４２の頂点（垂線４２ａと傾斜辺４２ｂとの接続点）も切り離される。
【００３８】
そして、帯状片３１の自由端部３１ａを挿通スリット３２へと挿通していく。この場合、帯状片３１の挿通スリット３２への挿通は、エプロン本体２０の表裏面２０ａ，２０ｂ側のいずれでもよいが、これにより、図３に示すように、位置決め開口４２の傾斜辺４２ｂが垂下辺４１ａに沿って移動し、位置決め開口４２が徐々に小さくなり、開口部４０がしずく型形状から装着者の首回りへと係止可能な円形状に変化していく。
【００３９】
次に、開口部４０が装着者の首回りの適正位置となったときに、帯状片３１を挿通スリット３２に止着させることで、図４に示すように、エプロン本体を装着者に装着させることができる。
【００４０】
これにより、帯状片３１の切り込み（切断辺）を挿通スリット３２に係止させることができるため、帯状片３１が挿通スリット３２から脱落することがなく、エプロン本体を装着者に安定的に装着させることができる。
【００４１】
なお、図１において、エプロン本体２０の上辺２１は切断辺Ｌ１と同様のミシン目として形成されているが、切断辺Ｌ１と対向する上辺２１にのみ、切断線Ｌ１と同様のミシン目を設けるだけでもよい。
【００４２】
また、図１に示すように、係止開口４１と位置決め開口４２とは、垂下辺４２ａおよび傾斜辺４２ｂと係止開口４１との接合点が、装着者の肩ラインＡ上になるように形成されているため、エプロン本体２０を装着者が装着した場合には、止着手段３０（挿通スリット３２に挿通された帯状片３１）は装着者の背中側に位置するようなる（図４参照）。
【００４３】
そのため、例えば、本発明の使い捨てエプロン１０が歯科医院における患者に装着されるような場合では、止着手段３０が患者と椅子との間に位置することになるため、帯状片３１が不用意に挿通スリット３２から脱落することがない。
【００４４】
なお、上記実施形態では、エプロン本体２０と取着手段３０とを１枚のシート内で形成した例で説明したが、図５に示すように、エプロン本体２０と取着手段３０とを長尺シート体内に連続して設け、エプロン本体２０の上辺１１に沿って切り離し用の切断線Ｌ２を設けても良い。
【００４５】
また、この切断線Ｌ２には、切断線Ｌ１と同様に、切り取られた際に連続した切り込みが形成されるような、例えば、麦の穂形状のミシン目とされており、これにより、帯状片３１を挿通スリット３２に確実に係止させることができる。
【００４６】
この場合、エプロン本体２０，取着手段３０，開口部４０および切断線Ｌ１，Ｌ２の成形は、コンベア等で移送されてきたシート体に対して所要形状のカッター体をプレスすることによって容易に成形することができる。
【００４７】
そして、使い捨てエプロン１０が連続して設けられた長尺シートを、例えば、ロール状に巻回することによりコンパクトに収納することができるとともに、使い勝手を向上させることができる。
【００４８】
なお、上記実施形態では、帯状片３１が挿通される挿通スリット３２を８本の線状スリットを放射状としたスリットとしているが、本発明の挿通スリット３２は帯状片３１の切り込みを確実に係着できるものであればよく、特には限定されない。
【００４９】
例えば、図６（ａ）に示すように、円孔の周りに４本の線状スリットを十字形に配置したものや、図６（ｂ）に示すように、２本の線状スリットをその中心位置で交差した十字形の挿通スリットであってもよい。
【００５０】
また、図６（ｃ）に示すように、Ｌ字型の線状スリットを頂点が対向するように配置したもの、図６（ｄ）にす召すように、４本のスリットをそれらの端部が対向するように十字形に配置したものであってもよい。
【００５１】
さらに、図６（ｅ）に示すように、Ｖ字型の線状スリットをそれらの頂点が対向するように放射状に配置したものであってもよく、本発明に係る線状スリットには、少なくとも２本以上の線状スリットを含む、種々の形状のものが含まれる。
【００５２】
このように、帯状片３１を挿通スリット３２へと挿通という簡単な動作により、エプロン本体２を装着者の首回りへと位置決めして係止させることができるとともに、帯状片３１と挿通スリット３２とは帯状片３１の切り込み（切断辺）によって係着されるため、複数回（繰り返し）の着脱が可能となっている。
【００５３】
なお、上記実施形態では、使い捨てエプロン１０の大きさは特には限定されていないが、成人男性／女性用，小児用，幼児用等、年齢や性別応じて適宜に設計されてよく、また、切断線Ｌ１，Ｌ２にしても帯状片の切断辺に連続的な切り込みが形成される適宜形状のミシン目とされて良く、上記実施形態に限定されることはない。
【符号の説明】
【００５４】
１０  使い捨てエプロン
２０  エプロン本体
２１  上辺
２２  一側側辺
３０  止着手段
３１  帯状片
３２  挿通スリット
４０  開口部
４１  係止開口
４２  位置決め開口
４２ａ  垂下辺
４２ｂ  傾斜辺
Ｌ１，Ｌ２  切断線
【図１】
2020041238.tif 000003
【図２】
2020041238.tif 000004
【図３】
2020041238.tif 000005
【図４】
2020041238.tif 000006
【図５】
2020041238.tif 000007
【図６】
2020041238.tif 000008
【図７】
2020041238.tif 000009